(57)【要約】  本発明は、赤外線センサー（１９）と、プリント配線基板（１５）と、センサーベース（１７）と、センサーキャップ（２４）とを備え、プリント配線基板（１５）の上にセンサーベース（１７）を載置し、その上に赤外線センサー（１９）を載置し、かつセンサーベース（１７）上の縦壁の内部に挿入するセンサーキャップ（２４）を設け、赤外線センサーの本体部（２１）の基端側の外周に設けたつば部（２２）の上面の位置を規制することで、赤外線センサーはプリント配線基板に対して位置を決めることになる。
2012102009.tif 000002
【特許請求の範囲】
【請求項１】
被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有し前記トッププレートの下方に設けられる赤外線センサーと、
穴を有し、前記リード部を前記穴に貫通させ前記本体部と反対側で、はんだ接続したプリント配線基板と、
前記赤外線センサーの出力に応じて前記インバータ回路の駆動を制御する制御部と
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有する誘導加熱調理器。
【請求項２】
前記センサーベースの底面の上面に設けたリブに前記つば部の下面を載置した構成の請求項１に記載の誘導加熱調理器。
【請求項３】
前記センサーベースの底面の下面に凸部を設け、前記プリント配線基板には第２の穴を有し、前記第２の穴に前記凸部を貫通させ、前記センサーキャップの内面は前記赤外線センサーの本体部の側面に接触させた構成の請求項２に記載の誘導加熱調理器。
【請求項４】
前記センサーベースの底面の下面に第２の凸部を設け、前記第２の凸部が前記プリント配線基板に載置された構成の請求項１〜３のいずれか１項に記載の誘導加熱調理器。
【請求項５】
前記センサーキャップは、前記赤外線センサーの上方に可視光遮断フィルターを設けた構成の請求項１〜４のいずれか１項に記載の誘導加熱調理器。
【発明の詳細な説明】
【技術分野】
【０００１】
本発明は、赤外線センサーを備えた誘導加熱調理器に関する。
【背景技術】
【０００２】
近年、調理容器を加熱コイルにより誘導加熱する誘導加熱調理器は、安全、清潔、高効率という優れた特徴が認知され、広く普及している。この種の誘導加熱調理器は、鍋の温度を検出する赤外線センサーを備えて、インバータ回路の出力を制御するものがある（例えば、特許文献１参照。）。【０００３】
図１８は、特許文献１に記載された従来の誘導加熱調理器の概略構成図であり、図１９は、特許文献１に記載された従来の誘導加熱調理器が備える赤外線センサーの近傍の拡大平面図である。【０００４】
図１８に示すように、従来の誘導加熱調理器は、負荷鍋６０、負荷鍋６０を載置するトッププレート６１、負荷鍋６０を加熱する内コイル６２ａと外コイル６２ｂの分割巻き構成の加熱コイル６２を有している。【０００５】
加熱コイル６２を保持する加熱コイル支持台６３は、赤外線の透過率が低い樹脂材料にて構成されている。【０００６】
赤外線センサー６４、発光手段の発光ダイオード６５は、トッププレート６１の方向に向けて取り付けられている。【０００７】
導光手段６６は、負荷鍋６０からの赤外線放射を赤外線センサー６４に導光し、かつ発光手段の発光ダイオード６５から放射する光をトッププレート６１へ導光する。【０００８】
さらに、従来の誘導加熱調理器は、赤外線センサー６４の出力より温度を算出する温度算出手段６７と、使用者が機器の加熱操作を行う加熱操作手段６８と、機器の動作状態を表示する表示手段６９と、加熱コイル６２に高周波電流を供給するインバータ回路７０と、インバータ回路７０の出力信号によりトッププレート６１の上に鍋が載置されていることを検知する鍋検知手段７１と、温度算出手段６７からの信号に応じてインバータ回路７０の出力を制御する制御手段７２と、を備える。【０００９】
図１９は、赤外線センサー６４と発光手段６５および導光手段６６近傍の詳細を示す拡大平面図である。図１９において、保持部材７３は導光手段６６を保持して、プリント配線板７４は赤外線センサー６４および発光手段６５を固定している。【００１０】
ビス７５はプリント配線板７４を保持部材７３に固定して、プリント配線板７４と保持部材７３を加熱コイル支持台６３に共締めしている。【００１１】
前記のように構成された従来の誘導加熱調理器においては、プリント配線板７４はトッププレート６１の方向に向けて取り付けられており、赤外線センサー６４はプリント配線板７４に設けられている。これによって、赤外線センサー６４はトッププレート６１の方向に正しく載置され、赤外線センサー６４は負荷鍋６０からの赤外線を正しく受光することができる。
【先行技術文献】
【特許文献】
【００１２】
【特許文献１】特開２００７−２９９７０７号公報
【発明の概要】
【発明が解決しようとする課題】
【００１３】
しかしながら、前記従来の誘導加熱調理器においては、赤外線センサーはプリント配線板上で、赤外線センサーを保持する部材を設けずに固定しているため、赤外線センサーに応力がかかると容易に傾き、傾いた赤外線センサーではトッププレート上の負荷鍋から検知する赤外線の量が変化するという課題があった。【００１４】
また、赤外線センサーをプリント配線板に半田付けで固定する際に、赤外線センサーをプリント配線板に高さと角度を正確に固定するには、半田付け時に赤外線センサーを保持する組立治具を用いる必要があった。【００１５】
また、赤外線センサーとして、赤外線検出素子をモールドする本体部及び本体部の下部に設けたリード部を設けた形状の赤外線センサーではなく、赤外線検出素子を平面状に実装したチップ形状の赤外線センサーをプリント配線板に取り付けた構成では赤外線センサーが傾くという問題は発生しなかった。しかし、上記タイプの赤外線センサーは高価であり、安価な赤外線センサーで構成することができなかった。【００１６】
本発明は、前記従来の課題を解決するもので、赤外線センサーに応力がかかっても容易に傾かない構成を有し、安価で提供できる赤外線センサーユニットを用いた誘導加熱調理器を提供することを目的とする。
【課題を解決するための手段】
【００１７】
前記従来の課題を解決するために、本発明の誘導加熱調理器は、被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有し前記トッププレートの下方に設けられる赤外線センサーと、
穴を有し、前記リード部を前記穴に貫通させ前記本体部と反対側で、はんだ接続したプリント配線基板と、
前記赤外線センサーの出力に応じて前記インバータ回路の駆動を制御する制御部と、
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有する構成としたものである。【００１８】
上記構成によって、プリント配線基板には、センサーベースとセンサーキャップが固定され、赤外線センサーは、センサーベースに載置されるとともに、つば部の上面をセンサーキャップで規制されているため、赤外線センサーが容易に傾くことはなくなる。【００１９】
また赤外線センサーの本体部の外周をセンサーベースとセンサーキャップで覆っているので、赤外線センサーが外的な応力を受けることが無くなる。
【発明の効果】
【００２０】
本発明の誘導加熱調理器は、プリント配線基板に設けたセンサーベースに赤外線センサーを載置することで、プリント配線基板と赤外線センサーの水平度が安定することができる。また、センサーキャップは赤外線センサーのつば部の上面を抑えながらセンサーベースに取り付けることで、赤外線センサーが半田付け時等にプリント配線基板から浮くことを抑えることができる。上記構成によって、赤外線センサーはプリント配線基板に対して正確な位置に規制ができるので、トッププレートからの角度が変化することがなくなり、トッププレート上の被加熱物からの赤外線を安定して検知することでできる。
【図面の簡単な説明】
【００２１】
【図１】本発明の実施の形態１における誘導加熱調理器の概略構成図
【図２】本発明の実施の形態１における誘導加熱調理器の加熱コイルユニットの斜視図
【図３】本発明の実施の形態１における誘導加熱調理器の加熱コイルユニットの裏面の斜視図
【図４】本発明の実施の形態１における誘導加熱調理器の赤外線センサーユニットの斜視図
【図５】本発明の実施の形態１における誘導加熱調理器の赤外線センサーユニットの分解した斜視図
【図６】本発明の実施の形態１における誘導加熱調理器の基板ユニットの分解した斜視図
【図７】本発明の実施の形態１における誘導加熱調理器の基板ユニットの断面図
【図８】本発明の実施の形態２における誘導加熱調理器の基板ユニットの分解した斜視図
【図９】本発明の実施の形態２における誘導加熱調理器の基板ユニットの断面図
【図１０】本発明の実施の形態３における誘導加熱調理器の基板ユニットの分解した斜視図
【図１１】本発明の実施の形態３における誘導加熱調理器の基板ユニットの分解した斜視図
【図１２】本発明の実施の形態３における誘導加熱調理器の基板ユニットの断面図
【図１３】本発明の実施の形態４における誘導加熱調理器の基板ユニットの分解した斜視図
【図１４】本発明の実施の形態４における誘導加熱調理器の基板ユニットの分解した斜視図
【図１５】本発明の実施の形態４における誘導加熱調理器の基板ユニットの断面図
【図１６】本発明の実施の形態５における誘導加熱調理器の基板ユニットの分解した斜視図
【図１７】本発明の実施の形態５における誘導加熱調理器の基板ユニットの断面図
【図１８】従来の誘導加熱調理器の概略構成図
【図１９】従来の誘導加熱調理器が備える赤外線センサーの近傍の拡大平面図
【発明を実施するための形態】
【００２２】
第１の発明は、
被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有しトッププレートの下方に設けられる赤外線センサーと、
穴を有し、前記リード部を穴に貫通させ前記本体部と反対側ではんだ接続したプリント配線基板と、
前記赤外線センサーの出力に応じて前記インバータ回路の駆動を制御する制御部と、
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有したものである。
【００２３】
これによって、プリント配線基板にセンサーベースとセンサーキャップが固定され、赤外線センサーは、センサーベースに載置されるとともに、つば部の上面をセンサーキャップで規制されているため、赤外線センサーが容易に傾くことはなくなる。
【００２４】
また、赤外線センサーの本体部の外周をセンサーベースとセンサーキャップで覆っているので、赤外線センサーが外的な応力を受けることが無くなる。
【００２５】
第２の発明は、特に、第１の発明において、センサーベースの底面の上面に設けたリブに赤外線センサーのつば部の下面を載置したものである。
これによって、赤外線センサー１９の底面につけ根部３４のような余分な突起部があっても、その突起部に接しない部分の平面でリブに載置することで、赤外線センサーの本体部が確実にセンサーベースに密着して、載置させることができるので、赤外線センサーが位置ズレや角度ズレを無くし、正確に検知することができる。
【００２６】
第３の発明は、特に、第１または第２の発明において、センサーベースの底面の下面に凸部を設け、プリント配線基板には第２の穴を有し、第２の穴に凸部を貫通させ、センサーキャップの内面は赤外線センサーの本体部の側面に接触させたものである。
【００２７】
これによって、赤外線センサーの本体部２１がリード部２３の影響を受けずに、赤外線センサーをリブ４０に密着して載置することができ、本体部２１を傾かせずにセンサーベース３８に載置することができる。
【００２８】
第４の発明は、特に、第１〜３のいずれか１つの発明において、センサーベースの底面の下面に第２の凸部を設け、第２の凸部がプリント配線基板に載置された構成としたものである。
【００２９】
これによって、プリント配線基板と狙いの水平度を維持することができると共に、プリント配線基板の上とセンサーベースとの間に隙間を形成することができる。また、プリント配線基板の赤外線センサーの本体部側にも隙間のところまで回路パターンを設けることができ、プリント配線基板を小さく形成することができる。
【００３０】
第５の発明は、特に、第１〜４のいずれか１つの発明のセンサーキャップは赤外線センサーの上方に可視光遮断フィルターを設けた構成としたものである。
【００３１】
以下、本発明の実施の形態について、添付図面を参照しながら説明する。なお、この実施の形態によって本発明が限定されるものではない。
【００３２】
（実施の形態１）
図１は、本発明の実施の形態１における誘導加熱調理器の概略構成図である。
【００３３】
図１において、調理を行う被加熱物である鍋１がトッププレート２の上に載置され、トッププレート２は外郭３の天面に取り付けられて、本体を構成している。また、トッププレート２の下方には誘導加熱を行う加熱コイルユニット４が設けてある。
【００３４】
加熱コイルユニット４には、コイルベース５に誘導加熱をおこなう加熱コイル６が取りつけてある。
【００３５】
加熱コイル６は、一般的に焼きムラを改善するために内コイル６ａと外コイル６ｂに分割されている。また、コイルベース５には内コイル６ａと外コイル６ｂの間に開口穴７が設けてある。さらに、開口穴７の下方には赤外線センサーユニット８が位置されている。
【００３６】
インバータ回路９ａと制御部９ｂは本体内に配置している。赤外線センサーユニット８と制御部９ｂとの間は通信線１０でつながっている。
【００３７】
図２は、本発明の実施の形態１における誘導加熱調理器の加熱コイルユニット４の斜視図である。加熱コイルユニット４は、誘導加熱調理器の本体内に複数個を配置されることもある。その場合、各々の加熱コイルユニット４は、同じ向きに配置されるとは限らない。赤外線センサーユニット８が、例えば、回転して配置される場合でも加熱コイルユニット４の中心から手前側に配置されるように、加熱コイルユニット４には赤外線センサーユニット８が取り付けられる位置を複数設けてある。
【００３８】
図３は、本発明の実施の形態１における誘導加熱調理器の加熱コイルユニット４の裏面の斜視図である。図３に示すように、赤外線センサーユニット８は、コイルベース５に適した位置にビス１１で固定されている。
【００３９】
図４は、本発明の実施の形態１における誘導加熱調理器の赤外線センサーユニット８の斜視図である。図５は、本発明の実施の形態１における誘導加熱調理器の赤外線センサーユニット８を分解した斜視図である。
【００４０】
図４および図５において、赤外線センサーユニット８は基板ユニット１２をシールドケース上１３とシールドケース下１４で覆っている。
【００４１】
図６は、本発明の実施の形態１における誘導加熱調理器の基板ユニット１２を分解した斜視図である。図７は、本発明の実施の形態１における誘導加熱調理器の基板ユニット１２の断面図である。
【００４２】
図６および図７において、基板ユニット１２はプリント配線基板１５に赤外線センサー１９のリード部２３を貫通する穴である穴Ａ１６が設けてある。センサーベース１７には穴Ｂ１８を有している。赤外線センサー１９は赤外線検出素子２０を樹脂でモールドして本体部２１を形成している。
【００４３】
赤外線センサー１９の本体部２１の下部のつば部２２の下方にはリード部２３が設けてある。センサーキャップ２４の天面には入光穴２５があり、センサーキャップ２４の側面には係り部２６がある。また、赤外線センサー１９の本体部２１の基端側である砲弾型の根元のリード部２３側の外周に設けたつば部２２の上面の位置を規制する位置決め部５９を有している。
【００４４】
センサーベース１７は、内縦壁２７、外縦壁２８、外縦壁２８に留め部２９を設けている。内縦壁２７の内部には底面３０がある。
【００４５】
以上のように構成された誘導加熱調理器について、以下その動作、作用を説明する。
【００４６】
先ず、加熱コイル６にインバータ回路９ａから高周波電流を流すと高周波磁界を発生し、鍋１内に電磁誘導による渦電流が流れ、ジュール熱により加熱され、鍋１から赤外線が発光される。
【００４７】
この赤外線の一部は、トッププレート２を通過して、コイルベース５の開口穴７を通って赤外線センサーユニット８に流れる。
【００４８】
シールドケース上１３とシールドケース下１４は、アルミニウム等の材料で形成されており、基板ユニット１２が外からのノイズを受けるのを遮断するためであるが、必ず必要というものではない。
【００４９】
鍋１から赤外線センサーユニット８に届いた赤外線は、センサーキャップ２４の入光穴２５を通り、赤外線センサー１９の本体部２１に届き、モールドされた樹脂を通過して、赤外線検出素子２０が検知（受光）する。
【００５０】
赤外線検出素子２０で検知した赤外線のエネルギーは、リード部２３を通ってプリント配線基板１５に届き、プリント配線基板１５で電圧、電流、周波数などに変換して通信線１０を通じて制御部９ｂに出力される。また、インバータ回路９ａは加熱コイル６の誘導加熱の調整を行い、鍋１の加熱を行う。
【００５１】
赤外線センサー１９は、リード部２３がセンサーベース１７の穴Ｂ１８と、プリント配線基板１５の穴Ａ１６を貫通して、プリント配線基板１５上に載置したセンサーベース１７上に載置している。
【００５２】
赤外線センサー１９は、リード部２３が穴Ａ１６内に挿入された時点で横ズレがほとんどなくなり、センサーベース１７も内縦壁２７の内側がつば部２２の外周に近接しているので、横ズレがほとんどなくなる。
【００５３】
また、プリント配線基板１５の上面とセンサーベース１７の裏面が密着され、底面３０と赤外線センサー１９の底面が密着した状態で、リード部２３はプリント配線基板１５の裏面で、半田付けで固定されている。
【００５４】
センサーキャップ２４は、半田付け後、底面がつば部２２を押さえた状態で、係り部２６が留め部２９に嵌合しているので、センサーキャップ２４が上方に浮くことはない。また、センサーキャップ２４は、内側壁が赤外線センサーの本体部２１の側面と近接しており、外側面が外縦壁２８の内側面と近接した形状になっている。
【００５５】
これにより、商品のキッチンへの設置時や搬送時などの衝撃を受けた時にも、赤外線センサー１９は、センサーベースの底面３０に接触しているので、上方から下方に向けての方向の応力を受けても落ち込むような変形や傾くことはない。
【００５６】
また、赤外線センサー１９は、上方に応力を受けても、つば部２２がセンサーキャップ２４で押さえつけられており、センサーキャップ２４は係り部２６が留め部２９に嵌合して固定されているので、変形や傾くことがない。
【００５７】
故に、赤外線検出素子２０を開口穴に対して、位置ズレや角度ズレ無く配置することができ、正確に検知することができる。
【００５８】
また、赤外線センサー１９をプリント配線基板１５に半田付け固定した後に、センサーキャップ２４を装着するが、半田付けを行う段階で赤外線センサー１９が傾いたり、浮いたりした場合には、つば部２２の上面が上にずれるので、センサーキャップ２４の底面が上にずれ、係り部２６が留め部２９に嵌合できなくなる。
【００５９】
また、上記の場合、センサーキャップ２４に赤外線センサーの本体部２１を挿入しても、センサーベース１７の外縦壁２８内に挿入できなくなるので、センサーキャップ２４の装着時に赤外線センサー１９の位置ズレが発生していることを発見し修正することができる。
なお、半田付け前にセンサーキャップ２４を装着して、センサーベース１７をプリント配線基板１５に固定する治具（ジグ）を用いて、半田付けしてもよく、この場合には上記修正の頻度を抑えることができる。そして、半田付けにより、センサーベース１７は本体部２１とプリント配線板１５に挟持され固定される。
【００６０】
以上から、実施の形態１に係る構成によれば、赤外線センサーとして、高価なプリント配線基板に面実装タイプの赤外線センサーを用いなくて、安価なリード部付きの砲弾型の赤外線センサーを用いても確実な位置に固定することができ、安価で赤外線センサーユニットを作成することができる。
【００６１】
（実施の形態２）
図８は、本発明の実施の形態２における誘導加熱調理器の基板ユニットの分解した斜視図である。図９は、本発明の実施の形態２における基板ユニットの断面図である。
【００６２】
尚、実施の形態１と基本構成は同じなので共通する構成の説明は省略し、異なる点を中心に説明する。また、実施の形態１と同じ構成部品には同じ符号を付している。
【００６３】
図８および図９において、センサーベース３１の底面には穴Ｂ３２があり、底面にはリブ３３を設けている。赤外線センサー１９のつば部２２の下部には、リード部２３のつけ根部３４がある。
【００６４】
以上のように構成された誘導加熱調理器について、以下その動作、作用を説明する。
【００６５】
赤外線センサー１９の本体部２１の裏面は、リード部２３との境界に樹脂のモールドが付いた突起部であるつけ根部３４が形成されるが、このつけ根部３４を除いた平面に接触するように、リブ３３がセンサーベース３１のつば部２２の外周よりに設けてある。
【００６６】
これにより、赤外線センサー１９の底面にリード部２３のつけ根部３４のような余分な突起部があっても、その突起部に接しない部分の平面でリブ３３に密着して載置することで、赤外線センサー１９の本体部２１が確実にセンサーベース３１に密着して、載置させることができる。
【００６７】
故に、実施の形態２の構成によれば、赤外線センサー１９の位置ズレや角度ズレを無くし、正確に検知することができる。
【００６８】
（実施の形態３）
図１０と図１１は、本発明の実施の形態３における基板ユニットの分解した斜視図である。図１２は、本発明の実施の形態３における基板ユニットの断面図である。
【００６９】
尚、実施の形態１及び２と基本構成は同じなので共通する構成の説明は省略し、異なる点を中心に説明する。また、実施の形態１及び２と同じ構成部品には同じ符号を付している。
【００７０】
図１０〜図１２において、プリント配線基板３５には、赤外線センサーのリード部が貫通する穴Ａ３６と第２の穴である穴Ｃ３７が設けてある。センサーベース３８の底面は、穴Ｂ３９、リブ４０を有し、センサーベース３８の底面の裏側には凸部であるボス４１がある。また、センサーベース３８は、外縦壁４２を有している。また、実施の形態１において、センサーベース１７の内縦壁２７の内側がつば部２２の外周に近接していることに替えて、センサーキャップ２４の内面は赤外線センサー１９の本体部２１の側面に接触させていることにより、横ズレがほとんどなくなる。
【００７１】
以上のように構成された誘導加熱調理器について、以下その動作、作用を説明する。
【００７２】
プリント配線基板３５の穴Ｃ３７とボス４１は、近接するような寸法関係にすることで、センサーベース３８はプリント配線基板３５から横ズレを無くすことができる。赤外線センサー１９のリード部２３に対して、穴Ａ３６を大きくして、リード部２３が赤外線センサーの本体部２１からすこし傾いて形成されても穴Ａ３６に挿入できる。その際にリード部２３が穴Ａ３６に接触しないようにすることで、本体部２１がリード部２３の影響を受けずにリブ４０に密着して載置することができる。これによって、本体部２１を傾かせずにセンサーベース３８に載置することができる。
【００７３】
（実施の形態４）
図１３と図１４は、本発明の実施の形態４における基板ユニットの分解した斜視図である。図１５は、本発明の実施の形態４における基板ユニットの断面図である。
【００７４】
尚、実施の形態１〜３と基本構成は同じなので共通する構成の説明は省略し、異なる点を中心に説明する。また、実施の形態１〜３と同じ構成部品には同じ符号を付している。
【００７５】
図１３〜図１５において、プリント配線基板４３は、下面側だけでなく赤外線センサー１９の本体が配置される側である上面側にも回路パターン４４が設けてある。センサーベース４５は、底面の裏面側にはボス４６と、第２の凸部である台座４７を有している。プリント配線基板４３とセンサーベース４５の底面の間は隙間４８を有している。
【００７６】
以上のように構成された誘導加熱調理器について、以下その動作、作用を説明する。
センサーベース４５は、プリント配線基板４３に複数の台座４７で載置することで、プリント配線基板４３と狙いの水平度を維持することができると共に、プリント配線基板４３上とセンサーベース４５との間に隙間４８を形成することができる。
【００７７】
また、ボス４６と台座４７を組み合わせることで、センサーベース４５の底面の裏面側の突起の数を少なくすることもでき、隙間４８を広げることができる。
【００７８】
これにより、プリント配線基板４３には赤外線センサー１９の本体部２１側にも隙間４８のところまで回路パターン４４を設けることができ、プリント配線基板４３を小さく形成することができる。
【００７９】
実施の形態４では、プリント配線基板４３を小さくすることで、プリント配線基板４３が衝撃を受ける可能性を低くすることができ、赤外線センサー１９の位置ズレや傾きを防止する確率を高めることができる。
【００８０】
（実施の形態５）
図１６は、本発明の実施の形態５における基板ユニットの分解した斜視図である。図１７は、本発明の実施の形態５における基板ユニットの断面図である。
尚、実施の形態１〜４と基本構成は同じなので共通する構成の説明は省略し、異なる点を中心に説明する。また、実施の形態１〜４と同じ構成部品には同じ符号を付している。
【００８１】
図１６および図１７において、センサーキャップ４９の天面には入光穴５０がある。また、可視光遮断フィルター５１、支持筒５２を有している。支持筒５２は貫通した入光穴Ｂ５３、上面の平面部５４、上面に設けた縦リブ５５を有している。
【００８２】
以上のように構成された誘導加熱調理器について、以下その動作、作用を説明する。
赤外線センサー１９の赤外線検出素子２０は、可視光を受けると、赤外線の検知状態が狂ってくる。そのため、本体部２１を形成するモールドする樹脂を、可視光を遮断する特性の樹脂成分としている。これに対して、本実施の形態５では、本体部２１の上方に可視光遮断フィルター５１を設け、可視光を遮断している。これによって、本体部２１を形成するモールド樹脂における可視光を遮断する特性のグレードを下げたり、あるいはモールド樹脂における可視光遮断特性を無くしたりすることができ、安価な赤外線センサーを採用することができる。
【産業上の利用可能性】
【００８３】
以上のように、本発明に係る誘導加熱調理器は、赤外線センサーとして、高価なプリント配線基板に面実装するタイプでなく、安価な本体部とリード部を有するタイプの赤外線センサーを用いても、赤外線センサーの位置を確実に固定することができる。そこで、安価で被加熱物からの赤外線を安定して検知することが可能となるので、赤外線センサーを用いて被加熱物の温度を検出する調理器の用途に有効である。
【符号の説明】
【００８４】
１  鍋
２、６１  トッププレート
４  加熱コイルユニット
６、６２  加熱コイル
９ａ、７０  インバータ回路
９ｂ  制御部
１５、３５、４３  プリント配線基板
１６、３６  穴Ａ（穴）
１７、３１、３８、４５  センサーベース
１９、６４  赤外線センサー
２０  赤外線検出素子
２１  本体部
２２  つば部
２３  リード部
２４、４９  センサーキャップ
２６  係り部
２８、４２  外縦壁（縦壁）
３３、４０  リブ
３７  穴Ｃ（第２の穴）
４１、４６  ボス（凸部）
４７  台座（第２の凸部）
５１  可視光遮断フィルター
５９  位置決め部
【図１】
2012102009.tif 000003
【図２】
2012102009.tif 000004
【図３】
2012102009.tif 000005
【図４】
2012102009.tif 000006
【図５】
2012102009.tif 000007
【図６】
2012102009.tif 000008
【図７】
2012102009.tif 000009
【図８】
2012102009.tif 000010
【図９】
2012102009.tif 000011
【図１０】
2012102009.tif 000012
【図１１】
2012102009.tif 000013
【図１２】
2012102009.tif 000014
【図１３】
2012102009.tif 000015
【図１４】
2012102009.tif 000016
【図１５】
2012102009.tif 000017
【図１６】
2012102009.tif 000018
【図１７】
2012102009.tif 000019
【図１８】
2012102009.tif 000020
【図１９】
2012102009.tif 000021
【手続補正書】
【提出日】平成25年8月2日(2013.8.2)
【手続補正１】
【補正対象書類名】明細書
【補正対象項目名】全文
【補正方法】変更
【補正の内容】
【発明の詳細な説明】
【技術分野】
【０００１】
本発明は、赤外線センサーを備えた誘導加熱調理器に関する。
【背景技術】
【０００２】
近年、調理容器を加熱コイルにより誘導加熱する誘導加熱調理器は、安全、清潔、高効率という優れた特徴が認知され、広く普及している。この種の誘導加熱調理器は、鍋の温度を検出する赤外線センサーを備えて、インバータ回路の出力を制御するものがある（例えば、特許文献１参照。）。
【０００３】
図１８は、特許文献１に記載された従来の誘導加熱調理器の概略構成図であり、図１９は、特許文献１に記載された従来の誘導加熱調理器が備える赤外線センサーの近傍の拡大平面図である。
【０００４】
図１８に示すように、従来の誘導加熱調理器は、負荷鍋６０、負荷鍋６０を載置するトッププレート６１、負荷鍋６０を加熱する内コイル６２ａと外コイル６２ｂの分割巻き構成の加熱コイル６２を有している。
【０００５】
加熱コイル６２を保持する加熱コイル支持台６３は、赤外線の透過率が低い樹脂材料にて構成されている。
【０００６】
赤外線センサー６４、発光手段の発光ダイオード６５は、トッププレート６１の方向に向けて取り付けられている。
【０００７】
導光手段６６は、負荷鍋６０からの赤外線放射を赤外線センサー６４に導光し、かつ発光手段の発光ダイオード６５から放射する光をトッププレート６１へ導光する。
【０００８】
さらに、従来の誘導加熱調理器は、赤外線センサー６４の出力より温度を算出する温度算出手段６７と、使用者が機器の加熱操作を行う加熱操作手段６８と、機器の動作状態を表示する表示手段６９と、加熱コイル６２に高周波電流を供給するインバータ回路７０と、インバータ回路７０の出力信号によりトッププレート６１の上に鍋が載置されていることを検知する鍋検知手段７１と、温度算出手段６７からの信号に応じてインバータ回路７０の出力を制御する制御手段７２と、を備える。
【０００９】
図１９は、赤外線センサー６４と発光手段６５および導光手段６６近傍の詳細を示す拡大平面図である。図１９において、保持部材７３は導光手段６６を保持して、プリント配線板７４は赤外線センサー６４および発光手段６５を固定している。
【００１０】
ビス７５はプリント配線板７４を保持部材７３に固定して、プリント配線板７４と保持部材７３を加熱コイル支持台６３に共締めしている。
【００１１】
前記のように構成された従来の誘導加熱調理器においては、プリント配線板７４はトッププレート６１の方向に向けて取り付けられており、赤外線センサー６４はプリント配線板７４に設けられている。これによって、赤外線センサー６４はトッププレート６１の方向に正しく載置され、赤外線センサー６４は負荷鍋６０からの赤外線を正しく受光することができる。
【先行技術文献】
【特許文献】
【００１２】
【特許文献１】特開２００７−２９９７０７号公報
【発明の概要】
【発明が解決しようとする課題】
【００１３】
しかしながら、前記従来の誘導加熱調理器においては、赤外線センサーはプリント配線板上で、赤外線センサーを保持する部材を設けずに固定しているため、赤外線センサーに応力がかかると容易に傾き、傾いた赤外線センサーではトッププレート上の負荷鍋から検知する赤外線の量が変化するという課題があった。
【００１４】
また、赤外線センサーをプリント配線板に半田付けで固定する際に、赤外線センサーをプリント配線板に高さと角度を正確に固定するには、半田付け時に赤外線センサーを保持する組立治具を用いる必要があった。
【００１５】
また、赤外線センサーとして、赤外線検出素子をモールドする本体部及び本体部の下部に設けたリード部を設けた形状の赤外線センサーではなく、赤外線検出素子を平面状に実装したチップ形状の赤外線センサーをプリント配線板に取り付けた構成では赤外線センサーが傾くという問題は発生しなかった。しかし、上記タイプの赤外線センサーは高価であり、安価な赤外線センサーで構成することができなかった。
【００１６】
本発明は、前記従来の課題を解決するもので、赤外線センサーに応力がかかっても容易に傾かない構成を有し、安価で提供できる赤外線センサーユニットを用いた誘導加熱調理器を提供することを目的とする。
【課題を解決するための手段】
【００１７】
前記従来の課題を解決するために、本発明の誘導加熱調理器は、被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有し前記トッププレートの下方に設けられる赤外線センサーと、
穴を有し、前記リード部を前記穴に貫通させ前記本体部と反対側で、はんだ接続したプリント配線基板と、
前記赤外線センサーの出力に応じて前記インバータ回路の駆動を制御する制御部と、
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有する構成としたものである。
【００１８】
上記構成によって、プリント配線基板には、センサーベースとセンサーキャップが固定され、赤外線センサーは、センサーベースに載置されるとともに、つば部の上面をセンサーキャップで規制されているため、赤外線センサーが容易に傾くことはなくなる。
【００１９】
また赤外線センサーの本体部の外周をセンサーベースとセンサーキャップで覆っているので、赤外線センサーが外的な応力を受けることが無くなる。
【発明の効果】
【００２０】
本発明の誘導加熱調理器は、プリント配線基板に設けたセンサーベースに赤外線センサーを載置することで、プリント配線基板と赤外線センサーの水平度が安定することができる。また、センサーキャップは赤外線センサーのつば部の上面を抑えながらセンサーベースに取り付けることで、赤外線センサーが半田付け時等にプリント配線基板から浮くことを抑えることができる。上記構成によって、赤外線センサーはプリント配線基板に対して正確な位置に規制ができるので、トッププレートからの角度が変化することがなくなり、トッププレート上の被加熱物からの赤外線を安定して検知することでできる。
【図面の簡単な説明】
【００２１】
【図１】本発明の実施の形態１における誘導加熱調理器の概略構成図
【図２】本発明の実施の形態１における誘導加熱調理器の加熱コイルユニットの斜視図
【図３】本発明の実施の形態１における誘導加熱調理器の加熱コイルユニットの裏面の斜視図
【図４】本発明の実施の形態１における誘導加熱調理器の赤外線センサーユニットの斜視図
【図５】本発明の実施の形態１における誘導加熱調理器の赤外線センサーユニットの分解した斜視図
【図６】本発明の実施の形態１における誘導加熱調理器の基板ユニットの分解した斜視図
【図７】本発明の実施の形態１における誘導加熱調理器の基板ユニットの断面図
【図８】本発明の実施の形態２における誘導加熱調理器の基板ユニットの分解した斜視図
【図９】本発明の実施の形態２における誘導加熱調理器の基板ユニットの断面図
【図１０】本発明の実施の形態３における誘導加熱調理器の基板ユニットの分解した斜視図
【図１１】本発明の実施の形態３における誘導加熱調理器の基板ユニットの分解した斜視図
【図１２】本発明の実施の形態３における誘導加熱調理器の基板ユニットの断面図
【図１３】本発明の実施の形態４における誘導加熱調理器の基板ユニットの分解した斜視図
【図１４】本発明の実施の形態４における誘導加熱調理器の基板ユニットの分解した斜視図
【図１５】本発明の実施の形態４における誘導加熱調理器の基板ユニットの断面図
【図１６】本発明の実施の形態５における誘導加熱調理器の基板ユニットの分解した斜視図
【図１７】本発明の実施の形態５における誘導加熱調理器の基板ユニットの断面図
【図１８】従来の誘導加熱調理器の概略構成図
【図１９】従来の誘導加熱調理器が備える赤外線センサーの近傍の拡大平面図
【発明を実施するための形態】
【００２２】
第１の発明は、
被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有しトッププレートの下方に設けられる赤外線センサーと、
穴を有し、前記リード部を穴に貫通させ前記本体部と反対側ではんだ接続したプリント配線基板と、
前記赤外線センサーの出力に応じて前記インバータ回路の駆動を制御する制御部と、
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有したものである。
【００２３】
これによって、プリント配線基板にセンサーベースとセンサーキャップが固定され、赤外線センサーは、センサーベースに載置されるとともに、つば部の上面をセンサーキャップで規制されているため、赤外線センサーが容易に傾くことはなくなる。
【００２４】
また、赤外線センサーの本体部の外周をセンサーベースとセンサーキャップで覆っているので、赤外線センサーが外的な応力を受けることが無くなる
【００２５】
第２の発明は、特に、第１の発明において、センサーベースの底面の上面に設けたリブに赤外線センサーのつば部の下面を載置したものである。
これによって、赤外線センサー１９の底面につけ根部３４のような余分な突起部があっても、その突起部に接しない部分の平面でリブに載置することで、赤外線センサーの本体部が確実にセンサーベースに密着して、載置させることができるので、赤外線センサーが位置ズレや角度ズレを無くし、正確に検知することができる。
【００２６】
第３の発明は、特に、第１または第２の発明において、センサーベースの底面の下面に凸部を設け、プリント配線基板には第２の穴を有し、第２の穴に凸部を貫通させ、センサーキャップの内面は赤外線センサーの本体部の側面に接触させたものである。
【００２７】
これによって、赤外線センサーの本体部２１がリード部２３の影響を受けずに、赤外線センサーをリブ４０に密着して載置することができ、本体部２１を傾かせずにセンサーベース３８に載置することができる。
【００２８】
第４の発明は、特に、第１〜３のいずれか１つの発明において、センサーベースの底面の下面に第２の凸部を設け、第２の凸部がプリント配線基板に載置された構成としたものである。
【００２９】
これによって、プリント配線基板と狙いの水平度を維持することができると共に、プリント配線基板の上とセンサーベースとの間に隙間を形成することができる。また、プリント配線基板の赤外線センサーの本体部側にも隙間のところまで回路パターンを設けることができ、プリント配線基板を小さく形成することができる。
【００３０】
第５の発明は、特に、第１〜４のいずれか１つの発明のセンサーキャップは赤外線センサーの上方に可視光遮断フィルターを設けた構成としたものである。
【００３１】
以下、本発明の実施の形態について、添付図面を参照しながら説明する。なお、この実施の形態によって本発明が限定されるものではない。
【００３２】
（実施の形態１）
図１は、本発明の実施の形態１における誘導加熱調理器の概略構成図である。
【００３３】
図１において、調理を行う被加熱物である鍋１がトッププレート２の上に載置され、トッププレート２は外郭３の天面に取り付けられて、本体を構成している。また、トッププレート２の下方には誘導加熱を行う加熱コイルユニット４が設けてある。
【００３４】
加熱コイルユニット４には、コイルベース５に誘導加熱をおこなう加熱コイル６が取りつけてある。
【００３５】
加熱コイル６は、一般的に焼きムラを改善するために内コイル６ａと外コイル６ｂに分割されている。また、コイルベース５には内コイル６ａと外コイル６ｂの間に開口穴７が設けてある。さらに、開口穴７の下方には赤外線センサーユニット８が位置されている。
【００３６】
インバータ回路９ａと制御部９ｂは本体内に配置している。赤外線センサーユニット８と制御部９ｂとの間は通信線１０でつながっている。
【００３７】
図２は、本発明の実施の形態１における誘導加熱調理器の加熱コイルユニット４の斜視図である。加熱コイルユニット４は、誘導加熱調理器の本体内に複数個を配置されることもある。その場合、各々の加熱コイルユニット４は、同じ向きに配置されるとは限らない。赤外線センサーユニット８が、例えば、回転して配置される場合でも加熱コイルユニット４の中心から手前側に配置されるように、加熱コイルユニット４には赤外線センサーユニット８が取り付けられる位置を複数設けてある。
【００３８】
図３は、本発明の実施の形態１における誘導加熱調理器の加熱コイルユニット４の裏面の斜視図である。図３に示すように、赤外線センサーユニット８は、コイルベース５に適した位置にビス１１で固定されている。
【００３９】
図４は、本発明の実施の形態１における誘導加熱調理器の赤外線センサーユニット８の斜視図である。図５は、本発明の実施の形態１における誘導加熱調理器の赤外線センサーユニット８を分解した斜視図である。
【００４０】
図４および図５において、赤外線センサーユニット８は基板ユニット１２をシールドケース上１３とシールドケース下１４で覆っている。
【００４１】
図６は、本発明の実施の形態１における誘導加熱調理器の基板ユニット１２を分解した斜視図である。図７は、本発明の実施の形態１における誘導加熱調理器の基板ユニット１２の断面図である。
【００４２】
図６および図７において、基板ユニット１２はプリント配線基板１５に赤外線センサー１９のリード部２３を貫通する穴である穴Ａ１６が設けてある。センサーベース１７には穴Ｂ１８を有している。赤外線センサー１９は赤外線検出素子２０を樹脂でモールドして本体部２１を形成している。
【００４３】
赤外線センサー１９の本体部２１の下部のつば部２２の下方にはリード部２３が設けてある。センサーキャップ２４の天面には入光穴２５があり、センサーキャップ２４の側面には係り部２６がある。また、赤外線センサー１９の本体部２１の基端側である砲弾型の根元のリード部２３側の外周に設けたつば部２２の上面の位置を規制する位置決め部５９を有している。
【００４４】
センサーベース１７は、内縦壁２７、外縦壁２８、外縦壁２８に留め部２９を設けている。内縦壁２７の内部には底面３０がある。
【００４５】
以上のように構成された誘導加熱調理器について、以下その動作、作用を説明する。
【００４６】
先ず、加熱コイル６にインバータ回路９ａから高周波電流を流すと高周波磁界を発生し、鍋１内に電磁誘導による渦電流が流れ、ジュール熱により加熱され、鍋１から赤外線が発光される。
【００４７】
この赤外線の一部は、トッププレート２を通過して、コイルベース５の開口穴７を通って赤外線センサーユニット８に流れる。
【００４８】
シールドケース上１３とシールドケース下１４は、アルミニウム等の材料で形成されており、基板ユニット１２が外からのノイズを受けるのを遮断するためであるが、必ず必要というものではない。
【００４９】
鍋１から赤外線センサーユニット８に届いた赤外線は、センサーキャップ２４の入光穴２５を通り、赤外線センサー１９の本体部２１に届き、モールドされた樹脂を通過して、赤外線検出素子２０が検知（受光）する。
【００５０】
赤外線検出素子２０で検知した赤外線のエネルギーは、リード部２３を通ってプリント配線基板１５に届き、プリント配線基板１５で電圧、電流、周波数などに変換して通信線１０を通じて制御部９ｂに出力される。また、インバータ回路９ａは加熱コイル６の誘導加熱の調整を行い、鍋１の加熱を行う。
【００５１】
赤外線センサー１９は、リード部２３がセンサーベース１７の穴Ｂ１８と、プリント配線基板１５の穴Ａ１６を貫通して、プリント配線基板１５上に載置したセンサーベース１７上に載置している。
【００５２】
赤外線センサー１９は、リード部２３が穴Ａ１６内に挿入された時点で横ズレがほとんどなくなり、センサーベース１７も内縦壁２７の内側がつば部２２の外周に近接しているので、横ズレがほとんどなくなる。
【００５３】
また、プリント配線基板１５の上面とセンサーベース１７の裏面が密着され、底面３０と赤外線センサー１９の底面が密着した状態で、リード部２３はプリント配線基板１５の裏面で、半田付けで固定されている。
【００５４】
センサーキャップ２４は、半田付け後、底面がつば部２２を押さえた状態で、係り部２６が留め部２９に嵌合しているので、センサーキャップ２４が上方に浮くことはない。また、センサーキャップ２４は、内側壁が赤外線センサーの本体部２１の側面と近接しており、外側面が外縦壁２８の内側面と近接した形状になっている。
【００５５】
これにより、商品のキッチンへの設置時や搬送時などの衝撃を受けた時にも、赤外線センサー１９は、センサーベースの底面３０に接触しているので、上方から下方に向けての方向の応力を受けても落ち込むような変形や傾くことはない。
【００５６】
また、赤外線センサー１９は、上方に応力を受けても、つば部２２がセンサーキャップ２４で押さえつけられており、センサーキャップ２４は係り部２６が留め部２９に嵌合して固定されているので、変形や傾くことがない。
【００５７】
故に、赤外線検出素子２０を開口穴に対して、位置ズレや角度ズレ無く配置することができ、正確に検知することができる。
【００５８】
また、赤外線センサー１９をプリント配線基板１５に半田付け固定した後に、センサーキャップ２４を装着するが、半田付けを行う段階で赤外線センサー１９が傾いたり、浮いたりした場合には、つば部２２の上面が上にずれるので、センサーキャップ２４の底面が上にずれ、係り部２６が留め部２９に嵌合できなくなる。
【００５９】
また、上記の場合、センサーキャップ２４に赤外線センサーの本体部２１を挿入しても、センサーベース１７の外縦壁２８内に挿入できなくなるので、センサーキャップ２４の装着時に赤外線センサー１９の位置ズレが発生していることを発見し修正することができる。
なお、半田付け前にセンサーキャップ２４を装着して、センサーベース１７をプリント配線基板１５に固定する治具（ジグ）を用いて、半田付けしてもよく、この場合には上記修正の頻度を抑えることができる。そして、半田付けにより、センサーベース１７は本体部２１とプリント配線板１５に挟持され固定される。
【００６０】
以上から、実施の形態１に係る構成によれば、赤外線センサーとして、高価なプリント配線基板に面実装タイプの赤外線センサーを用いなくて、安価なリード部付きの砲弾型の赤外線センサーを用いても確実な位置に固定することができ、安価で赤外線センサーユニットを作成することができる。
【００６１】
（実施の形態２）
図８は、本発明の実施の形態２における誘導加熱調理器の基板ユニットの分解した斜視図である。図９は、本発明の実施の形態２における基板ユニットの断面図である。
【００６２】
尚、実施の形態１と基本構成は同じなので共通する構成の説明は省略し、異なる点を中心に説明する。また、実施の形態１と同じ構成部品には同じ符号を付している。
【００６３】
図８および図９において、センサーベース３１の底面には穴Ｂ３２があり、底面にはリブ３３を設けている。赤外線センサー１９のつば部２２の下部には、リード部２３のつけ根部３４がある。
【００６４】
以上のように構成された誘導加熱調理器について、以下その動作、作用を説明する。
【００６５】
赤外線センサー１９の本体部２１の裏面は、リード部２３との境界に樹脂のモールドが付いた突起部であるつけ根部３４が形成されるが、このつけ根部３４を除いた平面に接触するように、リブ３３がセンサーベース３１のつば部２２の外周よりに設けてある。
【００６６】
これにより、赤外線センサー１９の底面にリード部２３のつけ根部３４のような余分な突起部があっても、その突起部に接しない部分の平面でリブ３３に密着して載置することで、赤外線センサー１９の本体部２１が確実にセンサーベース３１に密着して、載置させることができる。
【００６７】
故に、実施の形態２の構成によれば、赤外線センサー１９の位置ズレや角度ズレを無くし、正確に検知することができる。
【００６８】
（実施の形態３）
図１０と図１１は、本発明の実施の形態３における基板ユニットの分解した斜視図である。図１２は、本発明の実施の形態３における基板ユニットの断面図である。
【００６９】
尚、実施の形態１及び２と基本構成は同じなので共通する構成の説明は省略し、異なる点を中心に説明する。また、実施の形態１及び２と同じ構成部品には同じ符号を付している。
【００７０】
図１０〜図１２において、プリント配線基板３５には、赤外線センサーのリード部が貫通する穴Ａ３６と第２の穴である穴Ｃ３７が設けてある。センサーベース３８の底面は、穴Ｂ３９、リブ４０を有し、センサーベース３８の底面の裏側には凸部であるボス４１がある。また、センサーベース３８は、外縦壁４２を有している。また、実施の形態１において、センサーベース１７の内縦壁２７の内側がつば部２２の外周に近接していることに替えて、センサーキャップ２４の内面は赤外線センサー１９の本体部２１の側面に接触させていることにより、横ズレがほとんどなくなる。
【００７１】
以上のように構成された誘導加熱調理器について、以下その動作、作用を説明する。
【００７２】
プリント配線基板３５の穴Ｃ３７とボス４１は、近接するような寸法関係にすることで、センサーベース３８はプリント配線基板３５から横ズレを無くすことができる。赤外線センサー１９のリード部２３に対して、穴Ａ３６を大きくして、リード部２３が赤外線センサーの本体部２１からすこし傾いて形成されても穴Ａ３６に挿入できる。その際にリード部２３が穴Ａ３６に接触しないようにすることで、本体部２１がリード部２３の影響を受けずにリブ４０に密着して載置することができる。これによって、本体部２１を傾かせずにセンサーベース３８に載置することができる。
【００７３】
（実施の形態４）
図１３と図１４は、本発明の実施の形態４における基板ユニットの分解した斜視図である。図１５は、本発明の実施の形態４における基板ユニットの断面図である。
【００７４】
尚、実施の形態１〜３と基本構成は同じなので共通する構成の説明は省略し、異なる点を中心に説明する。また、実施の形態１〜３と同じ構成部品には同じ符号を付している。
【００７５】
図１３〜図１５において、プリント配線基板４３は、下面側だけでなく赤外線センサー１９の本体が配置される側である上面側にも回路パターン４４が設けてある。センサーベース４５は、底面の裏面側にはボス４６と、第２の凸部である台座４７を有している。プリント配線基板４３とセンサーベース４５の底面の間は隙間４８を有している。
【００７６】
以上のように構成された誘導加熱調理器について、以下その動作、作用を説明する。
センサーベース４５は、プリント配線基板４３に複数の台座４７で載置することで、プリント配線基板４３と狙いの水平度を維持することができると共に、プリント配線基板４３上とセンサーベース４５との間に隙間４８を形成することができる。
【００７７】
また、ボス４６と台座４７を組み合わせることで、センサーベース４５の底面の裏面側の突起の数を少なくすることもでき、隙間４８を広げることができる。
【００７８】
これにより、プリント配線基板４３には赤外線センサー１９の本体部２１側にも隙間４８のところまで回路パターン４４を設けることができ、プリント配線基板４３を小さく形成することができる。
【００７９】
実施の形態４では、プリント配線基板４３を小さくすることで、プリント配線基板４３が衝撃を受ける可能性を低くすることができ、赤外線センサー１９の位置ズレや傾きを防止する確率を高めることができる。
【００８０】
（実施の形態５）
図１６は、本発明の実施の形態５における基板ユニットの分解した斜視図である。図１７は、本発明の実施の形態５における基板ユニットの断面図である。
尚、実施の形態１〜４と基本構成は同じなので共通する構成の説明は省略し、異なる点を中心に説明する。また、実施の形態１〜４と同じ構成部品には同じ符号を付している。
【００８１】
図１６および図１７において、センサーキャップ４９の天面には入光穴５０がある。また、可視光遮断フィルター５１、支持筒５２を有している。支持筒５２は貫通した入光穴Ｂ５３、上面の平面部５４、上面に設けた縦リブ５５を有している。
【００８２】
以上のように構成された誘導加熱調理器について、以下その動作、作用を説明する。
赤外線センサー１９の赤外線検出素子２０は、可視光を受けると、赤外線の検知状態が狂ってくる。そのため、本体部２１を形成するモールドする樹脂を、可視光を遮断する特性の樹脂成分としている。これに対して、本実施の形態５では、本体部２１の上方に可視光遮断フィルター５１を設け、可視光を遮断している。これによって、本体部２１を形成するモールド樹脂における可視光を遮断する特性のグレードを下げたり、あるいはモールド樹脂における可視光遮断特性を無くしたりすることができ、安価な赤外線センサーを採用することができる。
【産業上の利用可能性】
【００８３】
以上のように、本発明に係る誘導加熱調理器は、赤外線センサーとして、高価なプリント配線基板に面実装するタイプでなく、安価な本体部とリード部を有するタイプの赤外線センサーを用いても、赤外線センサーの位置を確実に固定することができる。そこで、安価で被加熱物からの赤外線を安定して検知することが可能となるので、赤外線センサーを用いて被加熱物の温度を検出する調理器の用途に有効である。
【符号の説明】
【００８４】
１  鍋
２、６１  トッププレート
４  加熱コイルユニット
６、６２  加熱コイル
９ａ、７０  インバータ回路
９ｂ  制御部
１５、３５、４３  プリント配線基板
１６、３６  穴Ａ（穴）
１７、３１、３８、４５  センサーベース
１９、６４  赤外線センサー
２０  赤外線検出素子
２１  本体部
２２  つば部
２３  リード部
２４、４９  センサーキャップ
２６  係り部
２８、４２  外縦壁（縦壁）
３３、４０  リブ
３７  穴Ｃ（第２の穴）
４１、４６  ボス（凸部）
４７  台座（第２の凸部）
５１  可視光遮断フィルター
５９  位置決め部
【手続補正２】
【補正対象書類名】特許請求の範囲
【補正対象項目名】全文
【補正方法】変更
【補正の内容】
【特許請求の範囲】
【請求項１】
被加熱物を載置し赤外線を透過可能なトッププレートと、
前記被加熱物を加熱する加熱コイルと、
前記加熱コイルに高周波電流を供給するインバータ回路と、
前記被加熱物から放射される赤外線を検出する赤外線検出素子と、
前記赤外線検出素子をモールドする本体部及び前記本体部の下部に設けたリード部を有し前記トッププレートの下方に設けられる赤外線センサーと、
穴を有し、前記リード部を前記穴に貫通させ前記本体部と反対側で、はんだ接続したプリント配線基板と、
前記赤外線センサーの出力に応じて前記インバータ回路の駆動を制御する制御部と
を備え、
前記赤外線センサーを載置し、かつ、前記プリント配線基板に載置されるセンサーベースと、
前記センサーベースに上方に突出するように設けた縦壁の内側に挿入され、かつ、前記本体部を内部に挿入するセンサーキャップと、
をさらに有し、
前記センサーキャップは、前記本体部の基端側の外周に設けたつば部の上面の位置を規制する位置決め部を有する誘導加熱調理器。
【請求項２】
前記センサーベースの底面の上面に設けたリブに前記つば部の下面を載置した構成の請求項１に記載の誘導加熱調理器。
【請求項３】
前記センサーベースの底面の下面に凸部を設け、前記プリント配線基板には第２の穴を有し、前記第２の穴に前記凸部を貫通させ、前記センサーキャップの内面は前記赤外線センサーの本体部の側面に接触させた構成の請求項２に記載の誘導加熱調理器。
【請求項４】
前記センサーベースの底面の下面に第２の凸部を設け、前記第２の凸部が前記プリント配線基板に載置された構成の請求項１〜３のいずれか１項に記載の誘導加熱調理器。
【請求項５】
前記センサーキャップは、前記赤外線センサーの上方に可視光遮断フィルターを設けた構成の請求項１〜４のいずれか１項に記載の誘導加熱調理器。
【手続補正３】
【補正対象書類名】図面
【補正対象項目名】全図
【補正方法】変更
【補正の内容】
【図１】
2012102009.tif 000022
【図２】
2012102009.tif 000023
【図３】
2012102009.tif 000024
【図４】
2012102009.tif 000025
【図５】
2012102009.tif 000026
【図６】
2012102009.tif 000027
【図７】
2012102009.tif 000028
【図８】
2012102009.tif 000029
【図９】
2012102009.tif 000030
【図１０】
2012102009.tif 000031
【図１１】
2012102009.tif 000032
【図１２】
2012102009.tif 000033
【図１３】
2012102009.tif 000034
【図１４】
2012102009.tif 000035
【図１５】
2012102009.tif 000036
【図１６】
2012102009.tif 000037
【図１７】
2012102009.tif 000038
【図１８】
2012102009.tif 000039
【図１９】
2012102009.tif 000040
【国際調査報告】
2012102009.tif 000041
2012102009.tif 000042
2012102009.tif 000043
2012102009.tif 000044